Podtech/llm-jp-corpus-v4-ja_patent huggingface dataset:
【手続補正書】
【提出日】平成23年12月16日(2011.12.16)
【手続補正１】
【補正対象書類名】特許請求の範囲
【補正対象項目名】全文
【補正方法】変更
【補正の内容】
【特許請求の範囲】
【請求項１】
Ｈ．２６４／ＡＶＣに準拠したビデオ信号を送信する方法であって、
ＳＶＣ（Ｓｃａｌａｂｌｅ  Ｖｉｄｅｏ  Ｃｏｄｅｄ）信号の第１スケーラブルレイヤであって、前記ＳＶＣ信号の第２スケーラブルレイヤの関連するｄｅｐｅｎｄｅｎｃｙ＿ｉｄ値未満の関連するｄｅｐｅｎｄｅｎｃｙ＿ｉｄ値を有する前記第１スケーラブルレイヤをチャネル変更レイヤとして選択するステップと、
前記ＳＶＣ信号の少なくとも一部について、前記第１スケーラブルレイヤのランダムアクセスポイントと前記第２スケーラブルレイヤのランダムアクセスポイントとが異なるアクセスユニットにおいて出現するように、前記ＳＶＣ信号を提供するため前記ビデオ信号をスケーラブルビデオ符号化するステップと、
前記ＳＶＣ信号を送信するステップと、
を有し、
前記スケーラブルビデオ符号化するステップは、前記第２スケーラブルレイヤより前記第１スケーラブルレイヤにおいてより多くのランダムアクセスポイントを提供する方法。
【請求項２】
前記スケーラブルビデオ符号化するステップは、前記第１スケーラブルレイヤのランダムアクセスポイントと前記第２スケーラブルレイヤのランダムアクセスポイントとが符号化効率の関数として異なるアクセスユニットにおいて出現するように、前記ビデオ信号を符号化することを決定するステップを含む、請求項１記載の方法。
【請求項３】
前記第１スケーラブルレイヤは、前記ＳＶＣ信号のベースレイヤである、請求項１記載の方法。
【請求項４】
ランダムアクセスポイントは、ＩＤＲ（Ｉｎｓｔａｎｔａｎｅｏｕｓ  Ｄｅｃｏｄｅｒ  Ｒｅｆｒｅｓｈ）スライスである、請求項１記載の方法。
【請求項５】
チャネル変更を実行するため装置において用いられる方法であって、
各スケーラブルレイヤがｄｅｐｅｎｄｅｎｃｙ＿ｉｄ値に関連付けされる複数のスケーラブルレイヤを有する、Ｈ．２６４／ＡＶＣに準拠するＳＶＣ（Ｓｃａｌａｂｌｅ  Ｖｉｄｅｏ  Ｃｏｄｅｄ）信号を受信するステップと、
前記チャネル変更の実行に関するスケーラブルレイヤのランダムアクセスポイントと前記複数のスケーラブルレイヤの残りのランダムアクセスポイントとが前記受信したＳＶＣ信号の異なるアクセスユニットにおいて出現するように、前記チャネル変更の実行に関するスケーラブルレイヤに対して復号化を設定するステップと、
ランダムアクセスポイントに対して前記受信したＳＶＣ信号のアクセスユニットをチェックするステップと、
前記ランダムアクセスポイントと最も大きなｄｅｐｅｎｄｅｎｃｙ＿ｉｄ値とを有するスケーラブルレイヤにおける符号化されたビデオを復号化するステップと、
を有し、
前記チャネル変更の実行に関するスケーラブルレイヤは、その他のスケーラブルレイヤより多くのランダムアクセスポイントを有する方法。
【請求項６】
前記チャネル変更の実行に関するスケーラブルレイヤは、前記ＳＶＣ信号のベースレイヤである、請求項５記載の方法。
【請求項７】
ランダムアクセスポイントは、ＩＤＲ（Ｉｎｓｔａｎｔａｎｅｏｕｓ  Ｄｅｃｏｄｅｒ  Ｒｅｆｒｅｓｈ）スライスである、請求項５記載の方法。
【請求項８】
第１スケーラブルレイヤと第２スケーラブルレイヤとを有する、Ｈ．２６４／ＡＶＣに準拠するビデオ符号化信号を提供するスケーラブルビデオエンコーダと、
前記ビデオ符号化信号を送信する変調手段と、
を有する装置であって、
前記第１スケーラブルレイヤは、前記第２スケーラブルレイヤの関連するｄｅｐｅｎｄｅｎｃｙ＿ｉｄ値未満の関連するｄｅｐｅｎｄｅｎｃｙ＿ｉｄ値を有し、
前記ビデオ符号化信号の少なくとも一部について、前記第１スケーラブルレイヤのランダムアクセスポイントと前記第２スケーラブルレイヤのランダムアクセスポイントとは異なるアクセスユニットにおいて出現し、
前記スケーラブルビデオエンコーダは、前記第２スケーラブルレイヤより前記第１スケーラブルレイヤにおいてより多くのランダムアクセスポイントを提供する装置。
【請求項９】
前記スケーラブルビデオエンコーダは、前記第１スケーラブルレイヤのランダムアクセスポイントと前記第２スケーラブルレイヤのランダムアクセスポイントとが符号化効率の関数として異なるアクセスユニットにおいて出現するように、前記ビデオ信号を符号化する、請求項８記載の装置。
【請求項１０】
前記第１スケーラブルレイヤは、前記ビデオ符号化信号のベースレイヤである、請求項８記載の装置。
【請求項１１】
ランダムアクセスポイントは、ＩＤＲ（Ｉｎｓｔａｎｔａｎｅｏｕｓ  Ｄｅｃｏｄｅｒ  Ｒｅｆｒｅｓｈ）スライスである、請求項８記載の装置。
【請求項１２】
各スケーラブルレイヤがｄｅｐｅｎｄｅｎｃｙ＿ｉｄ値に関連付けされる複数のスケーラブルレイヤを有する、Ｈ．２６４／ＡＶＣに準拠するＳＶＣ（Ｓｃａｌａｂｌｅ  Ｖｉｄｅｏ  Ｃｏｄｅｄ）信号をチャネルから提供する受信機と、
ランダムアクセスポイントと最も大きなｄｅｐｅｎｄｅｎｃｙ＿ｉｄ値とを有する前記受信されたＳＶＣ信号の従属レイヤにおいて符号化されたビデオを復号化するプロセッサと、
を有する装置であって、
１つのスケーラブルレイヤがチャネル変更の実行に関連付けされ、
前記チャネル変更の実行に関するスケーラブルレイヤのランダムアクセスポイントと前記複数のスケーラブルレイヤの残りのランダムアクセスポイントとが、前記受信したＳＶＣ信号の異なるアクセスユニットにおいて出現し、
前記チャネル変更の実行に関するスケーラブルレイヤは、その他のスケーラブルレイヤより多くのランダムアクセスポイントを有する装置。
【請求項１３】
前記チャネル変更の実行に関するスケーラブルレイヤは、前記ＳＶＣ信号のベースレイヤである、請求項１２記載の装置。
【請求項１４】
ランダムアクセスポイントは、ＩＤＲ（Ｉｎｓｔａｎｔａｎｅｏｕｓ  Ｄｅｃｏｄｅｒ  Ｒｅｆｒｅｓｈ）スライスである、請求項１２記載の装置。
【手続補正書】
【提出日】平成24年7月23日(2012.7.23)
【手続補正１】
【補正対象書類名】特許請求の範囲
【補正対象項目名】全文
【補正方法】変更
【補正の内容】
【特許請求の範囲】
【請求項１】
脳応答または聴性安定状態応答によって聴力の対象評価をするための装置において、一次聴力検査の最終結果が得られるように記録を処理しかつ分析するために、骨導および気導モードの両方に対する電気音響トランスジューサを通して異なる刺激を患者に同時に与え、かつ患者の神経電気的活動の同期記録に必要な手段を含み、聴覚障害を識別し、もし障害があれば、その障害が伝音タイプであるか知覚神経タイプであるかを識別しおよび／または、得られた結果の有効性を評価することを含むことを特徴とする装置。
【請求項２】
装置が周囲雑音レベルを収集しかつ測定する素子を含むことを特徴とする請求項１に記載の装置。
【請求項３】
装置が、聴性安定状態応答の記録過程中に電極の接触インピーダンスを実時間に測定する付加機能のために企図された能動コモンモード軽減回路(DRL)によって制御される第３の電極を含むことを特徴とする請求項１に記載の装置。
【請求項４】
装置が、異なるスペクトル組成をもつ少なくとも２つの音刺激を発生し、かつそれらを骨導および気導モードに対する電気音響トランスジューサによって各経路に異なる強度で同時に患者へ与える２つの独立したオーディオチャネルを含むことを特徴とする請求項１に記載の装置。
【請求項５】
オーディオチャネルの１つを通して、M1 変調周波数をもち、１つまたは数個の混合低周波数の振幅変調搬送音により形成された刺激を発生し骨トランスジューサを通して該刺激を与え、また別のオーディオチャネルを通して、M２ 変調周波数をもち、１つまたは数個の混合高周波数の振幅変調搬送音により形成された刺激を発生し気道トランスジューサを通して該刺激を与え、同時の骨導および気導刺激により生じるバイオ電気的活動を同期記録する請求項４に記載の装置。
【手続補正２】
【補正対象書類名】明細書
【補正対象項目名】発明の名称
【補正方法】変更
【補正の内容】
【発明の名称】聴覚障害の対象検出装置
【手続補正書】
【提出日】平成24年7月11日(2012.7.11)
【手続補正１】
【補正対象書類名】特許請求の範囲
【補正対象項目名】全文
【補正方法】変更
【補正の内容】
【特許請求の範囲】
【請求項１】
ＣＤ２８と結合するドメイン抗体（ｄＡｂ）であって、
ａ．ＣＴＬＡ４と交差反応せず、
ｂ．ＣＤ２８の、ＣＤ８０および／またはＣＤ８６との結合を５０ｎＭ以下のＩＣ５０で阻害し、
ｃ．ＣＤ２８活性を実質的に刺激せず、および
ｄ．１ｈ−２３９−８９１（Ｄ７０Ｃ）（配列番号５４３）に対して少なくとも９５％の配列同一性を有するポリペプチド配列を含む、ｄＡｂ。
【請求項２】
Ｔ細胞受容体シグナル伝達と組み合わさった、Ｔ細胞増殖を実質的に誘導しない、請求項１に記載のｄＡｂ。
【請求項３】
Ｔ細胞受容体シグナル伝達と組み合わさった、Ｔ細胞によるサイトカイン分泌を実質的に誘導しない、請求項１に記載のｄＡｂ。
【請求項４】
前記サイトカインが、ＩＬ−２、ＩＬ−６、ＩＬ−１０、ＩＬ−１３、ＴＮＦ−αおよびＩＦＮ−γからなる群から選択される少なくとも１種のサイトカインである、請求項３に記載のｄＡｂ。
【請求項５】
前記ポリペプチド配列が１ｈ−２３９−８９１（Ｄ７０Ｃ）（配列番号５４３）に対して少なくとも９６％の配列同一性を有する、請求項１に記載のｄＡｂ。
【請求項６】
前記ポリペプチド配列が１ｈ−２３９−８９１（Ｄ７０Ｃ）（配列番号５４３）に対して少なくとも９７％の配列同一性を有する、請求項５に記載のｄＡｂ。
【請求項７】
前記ポリペプチド配列が１ｈ−２３９−８９１（Ｄ７０Ｃ）（配列番号５４３）に対して少なくとも９８％の配列同一性を有する、請求項６に記載のｄＡｂ。
【請求項８】
前記ポリペプチド配列がｄＡｂ  １ｈ−２３９−８９１（配列番号４７６）の配列を有する、請求項７に記載のｄＡｂ。
【請求項９】
そのインビボ半減期を増大するようフォーマットされている、請求項１〜８のいずれか１項に記載のｄＡｂ。
【請求項１０】
フォーマッティングが、ＰＥＧ化反応によってｄＡｂをポリエチレングリコール（ＰＥＧ）と連結することを含む、請求項９に記載のｄＡｂ。
【請求項１１】
ＰＥＧが、システインまたはリシン残基によって連結しているか、またはＰＥＧが、約１０〜約５０ｋＤであるか、またはｄＡｂが、少なくとも約２４ｋＤの水力学的サイズを有するか、またはｄＡｂが、少なくとも約２００ｋＤの水力学的サイズを有するか、またはｄＡｂが、約１５秒〜約１２時間のｔα半減期を有するか、またはｄＡｂが、約１２時間〜約７４４時間のｔβ半減期を有する、請求項１０に記載のｄＡｂ。
【請求項１２】
前記ｄＡｂが、第１の抗原に対する結合特異性を有する第１の単一可変ドメインと、第２の抗原に対する結合活性を有する第２の単一可変ドメインとを含み、前記第１の抗原が、ＣＤ２８であり、前記第２の抗原が、ＣＤ２８以外の抗原である、請求項１〜１１のいずれか１項に記載のｄＡｂ。
【請求項１３】
前記第２の抗原が、抗原提示細胞表面抗原またはＴ細胞表面抗原であるか、または前記第２の抗原がサイトカインである、請求項１２に記載のｄＡｂ。
【請求項１４】
請求項１〜８のいずれか１項に記載のｄＡｂをコードする核酸。
【請求項１５】
患者の治療のための医薬の調製のための、請求項１〜１３のいずれか１項に記載のドメイン抗体（ｄＡｂ）の使用であって、前記患者が免疫疾患を有する、または有する危険にある、使用。
【請求項１６】
前記免疫疾患が、自己免疫疾患または移植組織と関連する疾患である、請求項１５に記載の使用。
【請求項１７】
前記移植組織と関連する疾患が、同種移植片拒絶、異種移植片拒絶および移植片対宿主病からなる群から選択されるか、または前記自己免疫疾患が、全身性エリテマトーデス（ｌｕｐｕｓ  ｅｒｙｔｈｅｍａｔｏｓｉｓ）、多発性硬化症、関節リウマチ、糖尿病、乾癬、強皮症、アテローム性動脈硬化症、炎症性腸疾患および潰瘍性大腸炎からなる群から選択される、請求項１６に記載の使用。
【請求項１８】
請求項１〜１３のいずれか１項に記載のｄＡｂの治療上有効な量と、製薬上許容される担体とを含む医薬組成物。
【請求項１９】
免疫抑制／免疫調節および／または抗炎症剤をさらに含む、請求項１８に記載の医薬組成物。
【手続補正書】
【提出日】平成24年7月9日(2012.7.9)
【手続補正１】
【補正対象書類名】特許請求の範囲
【補正対象項目名】全文
【補正方法】変更
【補正の内容】
【特許請求の範囲】
【請求項１】
血液中を循環するグッドパスチャー抗原結合タンパク質（ＧＰＢＰ）を検出する方法であって、
（ａ）ＧＰＢＰ結合分子のＧＰＢＰに対する選択的結合を促進する条件下で、前記ＧＰＢＰと結合する前記ＧＰＢＰ結合分子と血漿試料を接触させること、
（ｂ）非結合ＧＰＢＰ結合分子、血漿、またはそれら両方を除去すること、および
（ｃ）前記ＧＰＢＰ結合分子と前記血漿試料中の前記ＧＰＢＰとの間の複合体形成を検出すること、を含む方法。
【請求項２】
前記方法は、循環する７７ｋＤ  ＧＰＢＰを検出する、請求項１記載の方法。
【請求項３】
前記７７ｋＤ  ＧＰＢＰは、配列番号４によるアミノ酸配列を有する、請求項２記載の方法。
【請求項４】
前記ＧＰＢＰ結合分子が抗体を含む、請求項１−３のいずれか一項に記載の方法。
【請求項５】
前記方法は、ヒト血漿からの天然の循環する７７ｋＤ  ＧＰＢＰを検出することを含む、請求項１−４のいずれか一項に記載の方法。
【請求項６】
前記検出することは、ＥＬＩＳＡ、免疫蛍光法、フローサイトメトリー、およびクロマトグラフィからなる群から選択される技術を含む、請求項１−５のいずれか一項に記載の方法。
【請求項７】
前記血漿試料は、自己免疫疾患を有すると疑われるヒト対象から得られる、請求項１−６のいずれか一項に記載の方法。
【請求項８】
前記自己免疫疾患は、グッドパスチャー症候群および免疫複合体型糸球体腎炎からなる群から選択される、請求項７に記載の方法。
【請求項９】
前記方法は、自己免疫疾患を有すると疑われるヒト対象の診断に使用される、請求項７または８に記載の方法。
【請求項１０】
配列番号２のアミノ酸配列からなる９０％又はそれより高い純度のポリペプチド（９１ｋＤ  ＧＰＢＰ）。
【請求項１１】
一般式  Ｘ−配列番号２（Ｘは検出可能なポリペプチドである）を有する、実質的に精製された組換え型ポリペプチド。
【請求項１２】
実質的に精製された核酸であって、下記（ａ）および（ｂ）からなる群から選択されるポリペプチドをコードする、核酸。
（ａ）配列番号２のアミノ酸配列からなるポリペプチド、
（ｂ）請求項１１記載のポリペプチド。
【請求項１３】
プロモータ配列と機能的に連結された、請求項１２記載の実質的に精製された核酸を含む組換え型発現ベクター。
【請求項１４】
請求項１３記載の前記組換え型発現ベクターでトランスフェクトされた宿主細胞。
【請求項１５】
配列番号２（９１ｋＤ  ＧＰＢＰ）又は配列番号４（７７ｋＤ  ＧＰＢＰ）のアミノ酸配列を有する実質的に精製されたポリペプチドであって、前記ポリペプチドが、３０５−３４４番目のアミノ酸残基（ＧＧＰＤＹＥＥＧＰＮＳＬＩＮＥＥＥＦＦＤＡＶＥＡＡＬＤＲＱＤＫＩＥＥＱＳＱＳＥＫ）（配列番号１０）に直接的に、間接的に、または直接的かつ間接的に関与する１以上の翻訳後修飾（ＰＴＭ）を有する、ポリペプチド。
【請求項１６】
前記ポリペプチドは、下記（ａ）−（ｅ）からなる群から選択される１以上の特徴により特徴付けられる、請求項１５記載のポリペプチド。
（ａ）前記１以上のＰＴＭが共有結合ＰＴＭを含む、
（ｂ）前記１以上のＰＴＭが３２０−３２７番目の残基（ＥＥＦＦＤＡＶＥ、配列番号５）内にある、
（ｃ）前記１以上のＰＴＭの少なくとも１つが３２０、３２１、又は３２７番目の残基に存在する、
（ｄ）前記ポリペプチドが配列番号４（７７ｋＤ）からなるアミノ酸配列を有する、
（ｅ）前記ポリペプチドが配列番号２（９１ｋＤ）からなるアミノ酸配列を有する。
【請求項１７】
配列番号２（９１ｋＤ  ＧＰＢＰ）又は配列番号４（７７ｋＤ  ＧＰＢＰ）のアミノ酸配列を有する実質的に精製されたポリペプチドであって、配列番号２又は配列番号４の前記ポリペプチドが、３７１−３９６番目の残基であるＰＹＳＲＳＳＳＭＳＳＩＤＬＶＳＡＳＤＤＶＨＲＦＳＳＱ（配列番号９）に直接的に、間接的に、または直接的かつ間接的に関与する１以上のＰＴＭを含む、ポリペプチド。
【請求項１８】
前記ポリペプチドは、下記（ａ）−（ｆ）からなる群から選択される１以上の特徴により特徴付けられる、請求項１７記載の実質的に精製されたポリペプチド。
（ａ）前記１以上のＰＴＭが共有結合ＰＴＭを含む、
（ｂ）前記１以上のＰＴＭが３８８−３９２番目の残基（ＤＤＶＨＲ、配列番号６）内にある、
（ｃ）前記ポリペプチドが、３０５−３４４番目の残基（ＧＧＰＤＹＥＥＧＰＮＳＬＩＮＥＥＥＦＦＤＡＶＥＡＡＬＤＲＱＤＫＩＥＥＱＳＱＳＥＫ）（配列番号１０）に１以上のＰＴＭをさらに含む、
（ｄ）前記１以上のＰＴＭが３２０−３２７番目の残基（ＥＥＦＦＤＡＶＥ、配列番号５）内にある、
（ｅ）前記ポリペプチドが、配列番号２（９１ｋＤ  ＧＰＢＰ）からなるアミノ酸配列を
有する、
（ｆ）前記ポリペプチドが、配列番号４（７７ｋＤ  ＧＰＢＰ）からなるアミノ酸配列を有する。
【請求項１９】
実質的に精製されたモノクローナル抗体であって、下記（ａ）および（ｂ）からなる群から選択される、モノクローナル抗体。
（ａ）請求項１５−１８のいずれか一項に記載の実質的に精製されたポリペプチドと選択的に結合するモノクローナル抗体、
（ｂ）配列番号２のポリペプチドと特異的に結合し、配列番号４のポリペプチドと結合しないモノクローナル抗体。
【請求項２０】
尿グッドパスチャー抗原結合タンパク質（ＧＰＢＰ）を検出する方法であって、
（ａ）ＧＰＢＰ結合分子のＧＰＢＰに対する選択的結合を促進する条件下で、前記ＧＰＢＰと結合する前記ＧＰＢＰ結合分子と尿試料を接触させること、
（ｂ）非結合ＧＰＢＰ結合分子を除去すること、および
（ｃ）前記尿試料における前記ＧＰＢＰ結合分子と前記ＧＰＢＰとの間の複合体形成を検出すること、
を含む方法。
【請求項２１】
天然のＧＰＢＰアイソフォームを単離する方法であって、下記（Ｉ）−（ＩＩＩ）からなる群から選択される方法を含む、方法。
（Ｉ）（ａ）血漿試料を硫酸アンモニウム沈殿させること、
（ｂ）硫酸アンモニウム沈殿した血清試料に対してイオン交換クロマトグラフィ（ＩＥＣ）を実施すること、
（ｃ）天然のＧＰＢＰアイソフォームを含むＩＥＣ画分を同定すること、
（ｄ）天然のＧＰＢＰアイソフォームを含むＩＥＣ画分をゲル濾過クロマトグラフィ（ＧＦＣ）すること、および
（ｅ）天然のＧＰＢＰアイソフォームを含むＧＦＣ画分を同定すること、
を含む方法、
（ＩＩ）（ａ）尿試料を塩析すること、
（ｂ）塩析したタンパク質試料に対してダブルイオン交換クロマトグラフィ（ＩＥＣ）を実施すること、および
（ｃ）天然のＧＰＢＰアイソフォームを含むＩＥＣ画分を同定すること、
を含む方法、
（ＩＩＩ）（ａ）血漿試料又は尿試料を、天然のＧＰＢＰと選択的に結合するＧＰＢＰ結合分子を含むアフィニティーカラムに通すこと、
（ｂ）血漿又は尿試料からの非結合タンパク質をアフィニティーカラムから洗い流すこと、および
（ｃ）前記カラムから天然のＧＰＢＰアイソフォームを溶出させること、
を含む方法。
【手続補正書】
【提出日】平成24年5月10日(2012.5.10)
【手続補正１】
【補正対象書類名】特許請求の範囲
【補正対象項目名】全文
【補正方法】変更
【補正の内容】
【特許請求の範囲】
【請求項１】
ペレット形態の冷凍食品であって、ここに食品が、
少なくとも約50等価重量の果汁；
ゲル化剤および増粘剤として作用するマルチパート（multipart）安定剤を含む組成物から形成され、ここに該組成物の粘度が少なくとも250センチポイズである該冷凍食品。
【請求項２】
果汁が、
組成物に香味を提供する第1の果汁；および
組成物に甘味および香味を提供する第2の果汁を含み、ここに第2の果汁によって提供される香味が、第1の果汁によって提供される香味よりも小さい請求項１記載の食品。
【請求項３】
第2の果汁が13未満のストレートBrix値を有する請求項２記載の食品。
【請求項４】
第2の果汁がリンゴ果汁および西洋ナシ果汁のうちの少なくとも1を含む請求項２記載の食品。
【請求項５】
マルチパート安定剤が少なくとも2の成分を含む請求項１記載の食品。
【請求項６】
マルチパート安定剤がカラギーナン、ローカストビーンガム、キサンタンガム、グアガムおよびアルギン酸ナトリウムのうちの少なくとも１を含む請求項１記載の食品。
【請求項７】
さらに、少なくとも約2重量％の乳固形分を含む請求項１記載の食品。
【請求項８】
組成物が約-4℃よりも高い融点を有する請求項１記載の食品。
【請求項９】
少なくとも約50等価重量の果汁；
少なくとも約2.0重量％の組成物を含む乳固形分；および
ゲル化剤および増粘剤として作用して、マルチパート安定剤を含まない比較可能な組成物と比較して、ペレットを形成するのに用いる組成物の濃厚さを増大するマルチパート安定剤を含む
組成物から形成される複数の実質的に自由に流動するペレットを含む冷凍食品。
【請求項１０】
組成物中の果汁が、
組成物に香味を提供する第1の果汁；および
組成物に甘味および香味を提供する第2の果汁
を含み、ここに該第2の果汁の香味が第1の果汁の香味よりも小さい、ことを特徴とする請求項９記載の冷凍食品。
【請求項１１】
第2の果汁が13未満のストレートBrix値を有する請求項１０記載の食品。
【請求項１２】
第2の果汁がリンゴ果汁、西洋ナシ果汁およびそれらの混合物よりなる群から選択される請求項１０記載の食品。
【請求項１３】
実質的に自由に流動するペレットが、約-20℃未満の温度でいずれの感知できる凝集をも示さない請求項９記載の冷凍食品。
【請求項１４】
マルチパート安定剤がアルギン酸ナトリウムを含む請求項９記載の冷凍食品。
【請求項１５】
マルチパート安定剤がカラギーナン、ローカストビーンガム、グアガムおよびキサンタンガムよりなる群から選択される請求項９記載の冷凍食品。
【請求項１６】
実質的に自由に流動するペレットが約1ないし約20ミリメートルの平均直径を有する請求項９記載の冷凍食品。
【請求項１７】
さらに、
無脂肪乳；
少なくとも3％のヨーグルト；ならびに
柑橘類繊維、キサンタンガムおよびグアガムのうちの少なくとも1を含む安定剤を含む第2の組成物から形成される実質的に自由に流動するペレットの第2のセットを含む、請求項９記載の冷凍食品。
【請求項１８】
冷凍食品を製造する方法であって、
ａ）約50ないし約100等価重量の果汁；
約2ないし約5重量％の乳固形分；および
増粘剤およびゲル化剤を含むマルチパート安定剤
を含む組成物を得、
ｂ）組成物を低温殺菌し、ついで
ｃ）組成物を極低温冷凍して複数の自由に流動するペレットを形成する
ことを含む該方法。
【請求項１９】
組成物が、工程ｃ）における極低温冷凍する前に、約250ないし約450センチポイズの粘度を有する請求項１８記載の方法。
【請求項２０】
果汁が、リンゴ果汁濃縮物、西洋ナシ果汁濃縮物、イチゴ果汁濃縮物、白ブドウ果汁濃縮物、オレンジ果汁濃縮物、ラズベリー果汁濃縮物、レモン果汁濃縮物、ライム果汁濃縮物およびそれらの組合せよりなる群から選択される少なくとも1の果汁濃縮物を含む請求項１８記載の方法。
【請求項２１】
マルチパート安定剤が少なくとも2の成分を含む請求項１８記載の方法。
【請求項２２】
マルチパート安定剤がアルギン酸ナトリウム、カラギーナン、ローカストビーンガム、キサンタンガムおよびグアガムのうちの少なくとも1を含む請求項１８記載の方法。
【請求項２３】
さらに、
無脂肪乳；
少なくとも3重量％のヨーグルト；ならびに
柑橘類繊維、キサンタンガムおよびグアガムを含む安定剤
を含む第2の組成物から第2のセットの自由に流動するペレットを製造することを含む請求項１８記載の方法。
【請求項２４】
ヨーグルトと合する前に無脂肪乳および安定剤を予め混合し、ついで、無脂肪乳および安定剤混合物を、ヨーグルトと合する前に低温殺菌する請求項２３記載の方法。
【手続補正書】
【提出日】平成24年7月23日(2012.7.23)
【手続補正１】
【補正対象書類名】特許請求の範囲
【補正対象項目名】全文
【補正方法】変更
【補正の内容】
【特許請求の範囲】
【請求項１】
複数の並行したゴルフボール受け細長ルートから構成されるゴルフボールを受けるための標的アセンブリであって、各ルートは他のルートと実質的に同じ幅を有し、且つ複数の個別ゴルフボール受けゾーンから構成される標的アセンブリ。
【請求項２】
各ルートが、ゴルフボール受けガイドトラックを形成する隣接した協働レールの対で画定される請求項１に記載の標的アセンブリ。
【請求項３】
隣接するルートが、この隣接するルート双方のためのガイドトラックをそれぞれ形成するのに使用される共通レールを共有する請求項２に記載の標的アセンブリ。
【請求項４】
各ルートは、そのルートのためのガイドトラックを形成するのに使用される独自のレールの対を有している請求項２に記載の標的アセンブリ。
【請求項５】
前記個別ゴルフボール受けゾーンは、各細長ルートの長さに沿って発生する突出部によって画定される請求項１〜４のいずれかに記載の標的アセンブリ。
【請求項６】
前記個別ゴルフボール受けゾーンは、その一部が各細長ルートの長さに沿って発生する窪みから少なくとも形成される請求項１〜４のいずれかに記載の標的アセンブリ。
【請求項７】
ルートの各レールが複数の鋸歯のような撓みから構成され、そのルート上で複数の個別ゴルフボール受けゾーンの間の境界を画定する請求項２〜４のいずれかに記載の標的アセンブリ。
【請求項８】
前記標的アセンブリが、さらにゴルフボールを回収して該ゴルフボールをプレーヤーへ戻す戻り溝を各ルートの最も後方部分に備えている請求項１〜７のいずれかに記載の標的アセンブリ。
【請求項９】
複数のルートがそれぞれ所定の幅を備えており、ゴルフボールが、隣接するルート内の静止したゴルフボールに接触することなく最初のルートの長さを横断することができる請求項１〜８のいずれかに記載の標的アセンブリ。
【請求項１０】
細長マットを備えたパットゲームであって、該マットは平らな支持面上に配置するための下面と通常のゴルフグリーンの特性を実質的に再現する繊維材料からなる上面とを有し、
請求項１〜９のいずれかに記載の標的アセンブリが前記マットの前記上面の一端部に実質的に配置され、複数のマーカーが該標的アセンブリから異なる長さの位置、且つ前記マットの前記上面の長手方向の反対側の端部に実質的に配置されているパットゲーム。
【手続補正書】
【提出日】平成24年7月23日(2012.7.23)
【手続補正１】
【補正対象書類名】特許請求の範囲
【補正対象項目名】全文
【補正方法】変更
【補正の内容】
【特許請求の範囲】
【請求項１】
低侵襲的な身体開口部を通過するように寸法調整された遠位端を有する細長い部材であって、前記遠位端は、統合型視覚化センサおよび組織修正器を備える、細長い部材を備える、組織修正デバイス。
【手続補正書】
【提出日】平成24年7月12日(2012.7.12)
【手続補正１】
【補正対象書類名】特許請求の範囲
【補正対象項目名】全文
【補正方法】変更
【補正の内容】
【特許請求の範囲】
【請求項１】
血管内ステントであって、
治療薬を含有しているリザーバと、
リザーバを覆って配置されるバリア層であって、無機材料を含んでなりかつ複数の不連続部を有しているバリア層と
を含んでなり、
バリア層は治療薬に対する浸透性を有することと、血管内ステントの端部分における治療薬に対するバリア層の浸透性は、血管内ステントの中間部分におけるバリア層の浸透性よりも大きいこととを特徴とする、血管内ステント。
【請求項２】
前記端部分におけるバリア層の不連続部の密度は、前記中間部分における密度よりも高いことを特徴とする、請求項１に記載の血管内ステント。
【請求項３】
前記端部分におけるバリア層の不連続部の平均的な大きさは、前記中間部分における平均的な大きさよりも大きいことを特徴とする、請求項１に記載の血管内ステント。
【請求項４】
血管内ステントは、本体および側枝部分を有する分岐型血管内ステントであることと、側枝部分のバリア層は、前記ステントの本体のバリア層よりも細孔の密度が高いこととを特徴とする、請求項１に記載の血管内ステント。
【請求項５】
リザーバは、ポリマー材料と治療薬とを含んでなるポリマー層である、請求項１に記載の血管内ステント。
【請求項６】
バリア層の不連続部は、マスクとしての役割を果たす複数の粒子を使用してリソグラフィエッチング処理によって形成される、請求項１に記載の血管内ステント。
【請求項７】
不連続部は、平均直径が５ｎｍ〜５００ｎｍの範囲にある細孔である、請求項１に記載の血管内ステント。
【請求項８】
前記端部分のバリア層を覆って配置された生体吸収性材料を含んでなる生体吸収層をさらに含んでなる、請求項１に記載の血管内ステント。
【請求項９】
無機材料は金属材料である、請求項１に記載の血管内ステント。
【請求項１０】
血管内ステントをコーティングする方法であって、
治療薬を含有しているリザーバを有する血管内ステントを提供するステップと；
前記リザーバを覆ってバリア層を形成するステップと
を含んでなり、バリア層を形成するステップは：
（ａ）無機材料を含んでなる無機質層を、リザーバを覆って配置するステップと；
（ｂ）無機質層の上にコンタクトマスクを付与するステップであって、血管内ステントの端部分におけるコンタクトマスクの構造は、血管内ステントの中間部分におけるコンタクトマスクの構造とは異なっている、ステップと；
（ｃ）コンタクトマスクを使用して無機質層の一部をエッチングすることにより、無機質層に不連続部を作出するステップと；
（ｄ）コンタクトマスクを除去するステップと
を含んでなることを特徴とする方法。
【請求項１１】
無機材料は金属材料である、請求項１０に記載の方法。
【請求項１２】
コンタクトマスクを付与するステップは無機質層の上に複数の粒子を堆積させることを含んでなることと、血管内ステントの端部分における粒子の充填密度は血管内ステントの中間部分における粒子の充填密度よりも高いこととを特徴とする、請求項１０に記載の方法。
【請求項１３】
コンタクトマスクを付与するステップは無機質層の上に複数の粒子を堆積させることを含んでなることと、血管内ステントの端部分における粒子の平均的な大きさは血管内ステントの中間部分における粒子の平均的な大きさよりも大きいこととを特徴とする、請求項１０に記載の方法。
【請求項１４】
血管内ステントは本体および側枝部分を有する分岐型ステントであることを特徴とする、請求項１０に記載の方法。
【手続補正書】
【提出日】平成24年7月23日(2012.7.23)
【手続補正１】
【補正対象書類名】特許請求の範囲
【補正対象項目名】全文
【補正方法】変更
【補正の内容】
【特許請求の範囲】
【請求項１】
対象においてＡＬＳまたは関連する運動ニューロン疾患を検出するための方法であって、
個体から得た試料において、ＦＵＳ／ＴＬＳの核酸またはそのフラグメント中の１または２以上の遺伝子マーカーを検出すること、
を含み、
ここで、前記１または２以上の遺伝子マーカーは、Ｃ１５５１Ｇ、Ｃ１５６１Ｇ、Ｇ１５４２Ｔ、Ｇ１５４３Ｔ、Ｃ１５６１Ｔ、Ｇ１５６２Ａ、Ａ１５６４ＧまたはＧ１５７２Ｃからなる群より選択され、および
ここで、１または２以上のマーカーの存在は、前記個体がＡＬＳもしくは関連する運動ニューロン疾患を有するか、またはＡＬＳもしくは関連する運動ニューロン疾患についての遺伝的素因または易罹患性を有することを示す、
前記方法。
【請求項２】
変異がＦＵＳ／ＴＬＳのエクソン１５中にある、請求項１に記載の方法。
【請求項３】
遺伝子マーカーの１または２以上が、ＦＵＳ／ＴＬＳタンパク質中の（野生型と比較しての）アミノ酸変化をコードする、請求項１または２に記載の方法。
【請求項４】
アミノ酸変化が、Ｈ５１７Ｑ、Ｒ５２１Ｇ、Ｒ５１４Ｓ、Ｇ５１５Ｃ、Ｒ５２１Ｃ、Ｒ５２１Ｈ、Ｒ５２２ＧまたはＲ５２４Ｓにおけるものである、請求項３に記載の方法。
【請求項５】
８つ全てのマーカーを含むハプロタイプを検出することを含む、請求項１〜４のいずれか一項に記載の方法。
【請求項６】
核酸が、ＤＮＡ、ゲノムＤＮＡ、ＲＮＡ、ｃＤＮＡ、ｈｎＲＮＡまたはｍＲＮＡである、請求項１〜５のいずれか一項に記載の方法。
【請求項７】
１または２以上の遺伝子マーカーの検出が、シークエンシング、ハイブリダイゼーション、制限酵素断片分析、オリゴヌクレオチドライゲーションアッセイまたは対立遺伝子特異的ＰＣＲにより達成される、請求項１〜６のいずれか一項に記載の方法。
【請求項８】
１または２以上の遺伝子マーカーが、変異体ＦＵＳ／ＴＬＳタンパク質に選択的に結合する抗体またはその抗原結合フラグメントを用いて同定される、請求項１〜６のいずれか一項に記載の方法。
【請求項９】
Ｃ１５５１Ｇ、Ｃ１５６１Ｇ、Ｇ１５４２Ｔ、Ｇ１５４３Ｔ、Ｃ１５６１Ｔ、Ｇ１５６２Ａ、Ａ１５６４ＧまたはＧ１５７２Ｃからなる群より選択されるマーカーの少なくとも１つを検出するためのプローブの少なくとも１つの組み合わせを含む、診断用キットおよび／または研究用キット。
【請求項１０】
変異型ＦＵＳ／ＴＬＳの活性のモジュレーターを含む、ＡＬＳまたは関連する運動ニューロン疾患の処置または予防のための組成物。
【請求項１１】
モジュレーターが、変異型ＦＵＳ／ＴＬＳ発現を減少させるｓｉＲＮＡ分子である、請求項１０に記載の組成物。
【請求項１２】
モジュレーターが、野生型ＦＵＳ／ＴＬＳ発現を増大させる発現ベクターである、請求項１０に記載の組成物。
【請求項１３】
シークエンシングが、ゲノムＤＮＡのエクソンシークエンシングである、請求項７に記載の方法。
【手続補正書】
【提出日】平成24年7月2日(2012.7.2)
【手続補正１】
【補正対象書類名】特許請求の範囲
【補正対象項目名】全文
【補正方法】変更
【補正の内容】
【特許請求の範囲】
【請求項１】
（ａ）創傷内に配置され、生物の体の状態に関する生体情報を検知する少なくとも１つのセンサと；
（ｂ）少なくとも１つの前記センサに関する前記生体情報を制御装置に電子的に伝達する通信リンクと
を備え、
前記制御装置は、全地球測位システムからの信号を受信および解釈することによって、前記制御装置の瞬間的な位置を確定できるように構成される創傷治療システム。
【請求項２】
少なくとも１つの前記センサは、圧力を検知する圧力センサ、吸引を検知する吸引センサ、温度を検知する温度センサ、相対湿度を検知する相対湿度センサ、ｐＨのレベルを検知するｐＨセンサ、酸素のレベルを検知する酸素センサ、二酸化炭素のレベルを検知する二酸化炭素センサ、および前記創傷の表面の組織内の血流を監視する血流センサからなる群から選択されたセンサである、
請求項１記載の創傷治療システム。
【請求項３】
前記制御装置は、前記創傷内の少なくとも１つの前記センサによって検知された状態をリアルタイム監視する、
請求項１記載の創傷治療システム。
【請求項４】
前記制御装置は、前記創傷に印加される陰圧のレベルを制御する、
請求項３記載の創傷治療システム。
【請求項５】
少なくとも１つの前記センサのうちの１つは、有用代謝産物の存在を通常の創傷治癒の指標として定量化する有用代謝物センサである、
請求項１記載の創傷治療システム。
【請求項６】
前記創傷治療システムは、代謝産物を添加するためのポンプと、前記ポンプから前記創傷への導管とを有する、
請求項５記載の創傷治療システム。
【請求項７】
前記創傷治療システムは、前記生体情報が前記制御装置内のフィードバックシステム内で用いられることによって、少なくとも１つの前記センサからの前記生体情報に基づき前記ポンプを制御する、
請求項６記載の創傷治療システム。
【請求項８】
前記創傷治療システムは、点滴のタイミングレートを設定する際に用いるソレノイドを有する、
請求項６記載の創傷治療システム。
【請求項９】
少なくとも１つの前記センサは、前記創傷内での組織再生の速度を定量化するコラーゲンセンサである、
請求項１記載の創傷治療システム。
【請求項１０】
少なくとも１つの前記センサのうちの１つは、正常に機能しない創傷治癒の指標として、または必要な緊急的行為の指標として有害な代謝産物の存在を定量化するセンサである、
請求項１記載の創傷治療システム。
【請求項１１】
少なくとも１つの前記センサのうちの１つは、有機化合物センサである、
請求項１記載の創傷治療システム。
【請求項１２】
少なくとも１つの前記センサのうちの１つは、無機化合物センサである、
請求項１記載の創傷治療システム。
【請求項１３】
前記通信リンクは、無線送信機である、
請求項１記載の創傷治療システム。
【請求項１４】
前記通信リンクは、有線で前記生体情報を送信する、
請求項１記載の創傷治療システム。
【請求項１５】
少なくとも１つの前記センサは、センサからなるアレイである、
請求項１記載の創傷治療システム。
【手続補正２】
【補正対象書類名】明細書
【補正対象項目名】００６９
【補正方法】変更
【補正の内容】
【００６９】
本願明細書において引用した全ての参考文献は、それら全体を参照することによって、本願明細書に組込む。
本発明を、具体的な実施例を参照して詳細に説明してきたが、当業者には、本発明の趣旨および範囲を逸脱することなく、様々な変形および変更を実行できることは、明らかであろう。
［発明１］
（ａ）生物の体の状態に関する生体情報を検知する少なくとも１つのセンサと；
（ｂ）前記生体情報を監視し且つ解釈する制御装置であって、前記生体情報は、創傷内の圧力の情報であることと；
（ｃ）前記生体情報を前記制御装置に電子的に伝達するための通信リンクであって、前記制御装置は、前記生体情報を中央サーバに伝達する送信機を有することと
を備える創傷治療システム。
［発明２］
前記生体情報は、所定期間、前記創傷内で維持されている圧力の情報である、
発明１記載の創傷治療システム。
［発明３］
前記送信機は、無線送信機である、
発明１記載の創傷治療システム。
［発明４］
前記中央サーバに送信される患者の前記生体情報は、瞬間的な患者コンプライアンス、患者コンプライアンスの履歴、エラーメッセージおよびサービス関連の情報からなる群から選択された情報である、
発明１記載の創傷治療システム。
［発明５］
前記制御装置は、中央サーバからのダウンロード情報を受信する受信機を有する、
発明１記載の創傷治療システム。
［発明６］
前記ダウンロード情報は、更新されたオペレーティングソフトウェア、臨床行為手順、およびユーザが決める設定からなる群から選択された情報である、
発明５記載の創傷治療システム。
［発明７］
前記送信機は、前記中央サーバに通信することによって服薬順守時間を伝え、
前記服薬順守時間は、患者の創傷床に臨床的に有効なレベルの吸引を行う一定期間である、
発明１記載の創傷治療システム。
［発明８］
創傷治療を実行する実行方法であって、
（ａ）少なくとも１つのセンサを提供するセンサ提供ステップと；
（ｂ）少なくとも１つの前記センサを用いることによって、生物の体の状態に関する生体情報を検知する情報検知ステップと；
（ｃ）前記生体情報を、少なくとも１つの前記センサと制御装置との間の通信リンクを介して、少なくとも１つの前記センサから前記制御装置に伝達する情報伝達ステップであって、前記制御装置は、前記創傷内の圧力を示す前記生体情報を監視し且つ解釈するためのものであることと；
（ｄ）患者の前記生体情報を前記制御装置から中央サーバに送信する情報送信ステップと
を有する、実行方法。
［発明９］
前記生体情報は、所定期間、前記創傷内で維持されている圧力の情報である、
発明８記載の実行方法。
［発明１０］
前記情報送信ステップは、瞬間的な患者コンプライアンス、患者コンプライアンスの履歴、エラーメッセージ、および前記制御装置のまたは前記センサのサービスのうちの少なくとも１つを送信することを有する、
発明８記載の実行方法。
［発明１１］
前記実行方法は更に、前記中央サーバから前記制御装置にダウンロード情報をダウンロードするステップを有する、
発明８記載の実行方法。
［発明１２］
ダウンロードされた前記ダウンロード情報は、更新されたオペレーティングソフトウェア、臨床行為手順、およびユーザが決める設定からなる群から選択された情報である、
発明１１記載の実行方法。
［発明１３］
前記実行方法は更に、服薬順守時間を送信する服薬順守時間送信ステップを有し、
前記服薬順守時間は、臨床的に有効なレベルの吸引が患者の創傷床に対して行われる期間である、
発明８記載の実行方法。
［発明１４］
前記服薬順守時間送信ステップは、服薬順守時間を、創傷治療システムが作動している選択された期間で割った値に等しい値を送信することを有する、
発明１３記載の実行方法。
【手続補正書】
【提出日】平成24年7月23日(2012.7.23)
【手続補正１】
【補正対象書類名】特許請求の範囲
【補正対象項目名】全文
【補正方法】変更
【補正の内容】
【特許請求の範囲】
【請求項１】
椎間板の線維輪内に挿入する内部人工器官であって、該内部人工器官は、
横軸と縦軸を持った全体が円盤状の組立体であり、
該円盤状の組立体は、共通の境界にそって一致する形で互いに係合する相補的な複数の本体から形成されており、
前記円盤状の組立体は、上部及び下部凸表面を有し、
前記上部及び下部凸表面は、人間の１対の椎骨に対応した曲率を有する、
ことを特徴とする、内部人工器官。
【請求項２】
前記本体は、互いに結合可能に形成されており、前記線維輪内に移植することで、該線維輪内に装着される、
ことを特徴とする、請求項１記載の内部人工器官。
【請求項３】
前記本体は、更に、一定の曲率を有する外周壁及び、前記外周壁の一端に接続する少なくとも一つの凹部及び前記外周壁の他端に接続する少なくとも一つの隣接する凸部を有する内壁を有する、
ことを特徴とする、請求項１記載の内部人工器官。
【請求項４】
前記本体は、更に、締め具を受け入れることが出来る少なくとも一つの溝を有する
ことを特徴とする、請求項１記載の内部人工器官。
【請求項５】
前記締め具は、縫合ワイヤ及びねじからなるグループから選択される、
ことを特徴とする、請求項４記載の内部人工器官。
【請求項６】
前記本体は、更に、挿入工具を受け入れることの出来る少なくとも一つの穴を有する、
ことを特徴とする、請求項１記載の内部人工器官。
【請求項７】
前記内壁は、更に、少なくとも一つの突起及び、該突起を受け入れることの出来る少なくとも一つの穴を有する、
ことを特徴とする、請求項３記載の内部人工器官。
【請求項８】
前記少なくとも一つの穴は、前記相補的な本体の内の一つに形成されている、
ことを特徴とする、請求項７記載の内部人工器官。
【請求項９】
前記少なくとも一つの突起は、前記相補的な本体の内の一つに形成されている、
ことを特徴とする、請求項７記載の内部人工器官。
【請求項１０】
椎間板の線維輪内に挿入する内部人工器官であって、該内部人工器官は、
全体が円盤状の物であり、該円盤状の物は、
第１ディスク部材を有し、該第１ディスク部材は、一定の曲率半径を有する外壁及び、前記外壁の一端に接続する少なくとも一つの凹部及び前記第１ディスク部材の外壁の他端に接続する少なくとも一つの隣接する凸部を有する内壁を有し、前記第１ディスク部材の内壁は、突起及び穴のグループ化から選択される少なくとも一つの係合部材を有し、
前記円盤状の物は、更に、
第２ディスク外周部を有する第２ディスク部材を有し、該第２ディスク外周部は、一定の曲率半径を有する外壁及び、前記外壁の一端に接続する少なくとも一つの凹部及び前記第２ディスク部材の外壁の他端に接続する少なくとも一つの隣接する凸部を有する内壁を有し、前記第２ディスク部材の内壁は、突起及び穴のグループ化から選択される少なくとも一つの係合部材を有し、
前記第１ディスク部材の少なくとも一つの係合部材と第２ディスク部材の少なくとも一つの係合部材は異なり、更に、前記第１及び第２のディスク部材は、縫合ワイヤ及びねじのグループから選択される少なくとも一つの締め具により、共通の境界に沿って一致する形で互いに係合固定自在に設けられており、前記円盤状の組立体は、更に、上部凸表面及び下部凸表面を有し、それら上部凸表面及び下部凸表面は、人間の１対の椎骨に対応した曲率を有する、
ことを特徴とする、内部人工器官。
【手続補正書】
【提出日】平成24年7月20日(2012.7.20)
【手続補正１】
【補正対象書類名】特許請求の範囲
【補正対象項目名】全文
【補正方法】変更
【補正の内容】
【特許請求の範囲】
【請求項１】
運動またはビデオ・ゲーム・システムであって、
フロア・パッド・コントローラであって、
力がユーザによって前記フロア・パッド・コントローラに加えられるときはいつでも力および／または力の位置が力センサおよび／または位置センサによって記録されるように、床または地面の平面内に一定のパターンで配置された前記力センサおよび／または位置センサであって、前記力センサおよび／または位置センサは前記フロア・パッド・コントローラに対して加えられる力および／または位置を検出する、力センサおよび／または位置センサを備えるフロア・パッド・コントローラと、
叩打コントローラであって、
外層と、外殻と、内部コアを備え、
前記外殻は、前記外層と内部コアとの間に力センサおよび／または接触センサを備え、
前記力センサおよび／または接触センサは前記叩打コントローラに対して加えられる力および接触を感知するためのトランスデューサおよび／または接点閉塞器を備え、
いずれかの力センサおよび／または接触センサに力を加えると前記運動システムまたはビデオ・ゲーム・システムからの命令に応じてアクションを実行するものであり、
前記内部コアは、前記叩打コントローラが前記ユーザによって叩打された後に直立姿勢に復帰するように、部屋の床または地面に復帰可能に結合されている、
叩打コントローラと、
を備える、運動またはビデオ・ゲーム・システム。
【請求項２】
体位センサと、それらの間の半径方向双方向型アッパーカットバーとを備える前記請求項１に記載の運動またはビデオ・ゲーム・システム。
【請求項３】
外殻は、布地または柔らかいクッションを有し、その布地または柔らかいクッションは、安全ゾーンを形成するために基本的に完全に延ばされており、前記布地または柔らかいクッションは前記外殻の力センサおよび／または接触センサ下段に加えられる殴打の衝撃から前記ユーザの脚、腕、手、臀部、大腿部、肩部、または頭部を特にクッションで支えあるいは保護できるものである前記請求項のいずれかに記載の運動またはビデオ・ゲーム・システム。
【請求項４】
ジャンプゾーンに向けられた少なくとも１つの体位センサをさらに備える前記請求項のいずれかに記載の運動またはビデオ・ゲーム・システム。
【請求項５】
前記体位センサは入れ子式アームに動作可能に結合され、前記結合は関節継手、ヒンジ、または玉継手である前記請求項４に記載の運動またはビデオ・ゲーム・システム。
【請求項６】
プロセッサのプログラムメモリは前記ユーザによるジャンプおよび前記叩打コントローラへの叩打、あるいは前記ユーザによる前記叩打コントローラへの個別の叩打をビデオモニタ上のアクション人形のジャンプキックに変換する命令を含む前記請求項のいずれかに記載の運動またはビデオ・ゲーム・システム。
【請求項７】
前記力センサおよび／または接触センサは、曲面格子内にあり、その曲面格子は前記叩打コントローラの周囲において約１８０°から約３６０°にある前記請求項のいずれかに記載の運動またはビデオ・ゲーム・システム。
【請求項８】
マルチプレイヤーと通信するマイクロフォンおよびヘッドフォンをさらに備えるが、前記運動システムまたはビデオ・ゲーム・システムを制御しない前記請求項のいずれかに記載の運動またはビデオ・ゲーム・システム。
【請求項９】
スイッチがトリガーされずにアナログ感度調整器によって決定された時間が過ぎた場合にジャンプ信号が送られ、さらに前記パッドの位置センサがトリガーされるまで送り続けられるように、アナログ感度調整器およびハードワイヤード論理回路を有するハード・ワイヤー・ジャンプ・スイッチをさらに備える前記請求項のいずれかに記載の運動またはビデオ・ゲーム・システム。
【請求項１０】
前記力センサおよび／または位置センサの１つは前記パターンの中央に設置される前記請求項のいずれかに記載の運動またはビデオ・ゲーム・システム。
【請求項１１】
前記ビデオゲームはサイド・スクローラ・ゲーム、格闘ゲーム、およびこれらの組合せからなるゲームの群から選択される前記請求項のいずれかに記載の運動またはビデオ・ゲーム・システム。
【請求項１２】
前記センサは２．５ニュートン以上の重量を検出できるような感度を有する前記請求項のいずれかに記載の運動またはビデオ・ゲーム・システム。
【請求項１３】
前記フロア・パッド・コントローラも前記叩打コントローラも前記運動システムまたはビデオ・ゲーム・システムのユーザによって装着されるヘッドフォンまたはマイクロフォンからの入力を必要としない前記請求項のいずれかに記載の運動またはビデオ・ゲーム・システム。
【請求項１４】
前記力センサおよび／または接触センサは、前記叩打コントローラ表面の曲面格子の縦軸と平行に配置されており、前記運動またはビデオ・ゲーム・システムからの命令に応じて行われるアクションが「蹴る」である場合、前記力センサおよび／または接触センサが垂直方向に長い側部のボタンであることにより、柔軟性に勝るユーザはより高く蹴ることができ、柔軟性に劣るユーザは怪我をすることなく低い位置を蹴ることができるため、ユーザは難易度をカスタマイズすることができる、前記請求項のいずれかに記載の運動またはビデオ・ゲーム・システム。
【請求項１５】
運動またはビデオ・ゲーム・システムを安全に使用する方法であって、
前記請求項のいずれかに記載の運動またはビデオ・ゲーム・システムを提供し、
叩打コントローラ表面の曲面格子内の特定の力センサおよび／または接触センサと関連づけられ、前記運動またはビデオ・ゲーム・システムからの命令に応じて実行するアクションを、左方への移動、右方への移動、上方への移動、下方への移動、パンチ、スナップキック、軽い回し蹴り、三日月蹴り、重い回し蹴りまたは水平空手チョップからなる群から選択して指定し、
さらに、叩打コントローラとモニタとを同時に見ながら、前記叩打コントローラを叩打し、捕らえ、踏み付けまたは飛び越えるようにユーザに命令する方法。
【請求項１６】
前記運動またはビデオ・ゲーム・システムからの命令に応じて行われるアクションが「蹴る」である場合、前記力センサおよび／または接触センサが垂直方向に長い側部のボタンであることにより、柔軟性に勝るユーザはより高く蹴ることができ、柔軟性に劣るユーザは怪我をすることなく低い位置を蹴ることができるように、力センサおよび／または接触センサを指定し、ユーザが難易度をカスタマイズすることができる前記請求項１５に記載の方法。
【誤訳訂正書】
【提出日】平成24年10月24日(2012.10.24)
【誤訳訂正１】
【訂正対象書類名】明細書
【訂正対象項目名】０１３８
【訂正方法】変更
【訂正の内容】
【０１３８】
表3：粗グリセロール調製物又は純グリセロール調製物によって得られる大腸菌MG1655のバイオマス生産量の比較。有酸素条件下で、pHを調節せずに、純グリセロール調製物（純度＞99％）又は粗グリセロール調製物を増殖のための炭素源とした場合のバイオマス生産量を比較した。株を培養管中、有酸素条件下で培養した。Φ，平均；stdev，標準偏差。
【表３】
2011528915.tif 000001
【誤訳訂正２】
【訂正対象書類名】明細書
【訂正対象項目名】０１３９
【訂正方法】変更
【訂正の内容】
【０１３９】
表4：粗グリセロール（10g/l）中に存在する不純物が最少培地の多量元素の代わりになる可能性。有酸素条件下で、pHを調節せずに、純グリセロール調製物（純度＞99％）又は粗グリセロール調製物を増殖のための炭素源及び多量元素源とした場合のバイオマス生産量を比較した。Φ，平均；stdev，標準偏差。
【表４】
2011528915.tif 000002
【誤訳訂正３】
【訂正対象書類名】明細書
【訂正対象項目名】０１４７
【訂正方法】変更
【訂正の内容】
【０１４７】
表7：大腸菌MG1655のaraBノックアウト株をプラスミドpDP_mgdfで形質転換するか、又は形質転換せずに、濃度が10又は15g/lの粗グリセロールを炭素源として含有する最少培地で培養した。培養は、有酸素条件下及び半無酸素条件下、37℃で行った。実験（5日間）の最後に580nmにおける光学密度としてバイオマスを決定し、上清中の1，2−PD含有量をGC−MS分析によって決定した。Φ，検出されなかった。検出限界10mg/l。Φ，平均；stdev，標準偏差。
【表７】
2011528915.tif 000003
【誤訳訂正４】
【訂正対象書類名】明細書
【訂正対象項目名】０１５０
【訂正方法】変更
【訂正の内容】
【０１５０】
表8：メチルグリオキサール代謝に関与する遺伝子を突然変異させた大腸菌MG1655の株を、グリセロール又はグルコース（10g/l）を含有する最少培地で培養した。培養は有酸素条件下、37℃で、増殖が止まるまで行った。増殖は光学密度（OD580）として決定し、プロパンジオールレベルはGC−MS分析によって決定した。Φ，平均；stdev，標準偏差。
【表８】
2011528915.tif 000004
【誤訳訂正５】
【訂正対象書類名】明細書
【訂正対象項目名】０１５２
【訂正方法】変更
【訂正の内容】
【０１５２】
表9：グリセロールを1，2−PDに変換する遺伝子を発現させる大腸菌MG1655の突然変異体株を、グリセロール又はグルコース（15g/l）を含有する最少培地で培養した。培養は、有酸素条件下又は半無酸素条件下、37℃で、増殖が止まるまで行った。上清中のプロパンジオールレベルをGC−MS分析によって決定した。Φ，平均；stdev，標準偏差。
【表９】
2011528915.tif 000005
【誤訳訂正６】
【訂正対象書類名】明細書
【訂正対象項目名】０１５７
【訂正方法】変更
【訂正の内容】
【０１５７】
表8に示すように、大腸菌において、gloAによってコードされるグリオキシラーゼI活性を不活化すると、グリセロールから1，2−PDの有意な生産が起こる。したがって、gloAによってコードされる酵素活性は、宿主細胞における1，2−PDの高レベル生産を妨害する主要な競合的活性である。